(57)【要約】      （修正有）【課題】夜間に行うウォーキングにおいて、自動車などに歩行者の存在を少しでも早く認識させて事故防止をするために使用するもので、電池の消耗による費用負担を避け、同時に左右均等な心地よいリズムの歩行を実現し、ウォーキングを楽しめるランプ付きウォーキングダンベルを提供する。【解決手段】ダンベル内部に永久磁石を備え、歩行中の自然な腕振り動作で永久磁石を往復動作させて発電コイルに電力を発生させ、ランプを発光させて自動車などに認識させ事故を防止し、規則的音の発生により心地よいリズムの歩行を実現する。【選択図】図２
2013145690.tif 000002
【特許請求の範囲】
【請求項１】
ウォーキングダンベルにおいて、永久磁石と発電コイルの相対動作により発電し、ダンベルに備わるランプを点灯させる機能を備えたことを特徴とするウォーキングダンベル。
【請求項２】
ウォーキングダンベルにおいて、永久磁石と発電コイルの相対動作により発電し、ダンベルに備わるスピーカで音を発する機能を備えたことを特徴とするウォーキングダンベル。
【請求項３】
ウォーキングダンベルにおいて、永久磁石と発電コイルの相対動作により発電して電気回路に供給し、ダンベルに備わるカウンターにより、ダンベルの行った往復動作の回数を計数する機能を備えたことを特徴とするウォーキングダンベル。
【発明の詳細な説明】
【技術分野】
【０００１】
本発明はウォーキング時に手に持って使用し、手と腕を振ることにより内蔵ランプが点灯する仕組みを備えたウォーキング用ダンベルに関するものである。
【背景技術】
【０００２】
ウォーキングダンベルは、ウォーキング時にダンベルを手に持ち腕を振ることにより、体への負荷を大きくして運動効果を高めることを目的に利用される。
一方健康増進のために行われるウォーキングは、夜間に行われる時には自動車等からウォーキング中の人を十分認識できず、その存在を発見するタイミングが遅れると危険なことがある。そのためウォーキング中は懐中電灯を携帯するか反射材を身につけることにより早く発見されるように対策することが多い。
そのような危険防止の目的に関して特許文献１の登録実用新案第３１１１４３５号に反射材が備えられた携帯用ダンベルが記されている。
しかしながらこの事例では自ら発光するものではなく、相手の光を反射する反射材料を使用するものである。反射材による光の反射は光軸に対して反射面が正対したときに効果が見込めるが、腕に持って振って使用するダンベルには、正対するタイミングが十分得られず、危険防止の目的を十分達成するのは困難である。
【先行技術文献】
【特許文献】
【０００３】
【特許文献１】登録実用新案第３１１１４３５号
【発明の概要】
【発明が解決しようとする課題】
【０００４】
夜間に行うウォーキングにおいて、自動車などに歩行者の存在を少しでも早く認識させて事故防止をすることは非常に大切である。
反射剤を身につけて使用する方法や、自ら発光する懐中電灯などを携帯して使用することにより自動車などから早く発見される対策する事が一般に行われている。
しかし携帯用の懐中電灯などを使用する方法は、１つのランプを片方の手にのみ持つ使用方法が多く、両手に持つ場合に比較して歩行時の運動バランスが悪く、リズムに同調した心地よい歩行には成り難い。
更に電源に乾電池が使用されているが、ウォーキングで毎日使用されるので消費される電力は多く、消耗した電池の交換に必要な費用も多額となる。
そこで運動の効果を高めながら、コストを押さえた方法で、危険を防止するためのランプの発光が可能なウォーキングダンベルが求められていた。
【課題を解決するための手段】
【０００５】
本発明のランプ付きウォーキングダンベルでは、上記課題を解決するためにダンベルの端部にランプを備え、ウォーキング時腕を自然に前後に振ることにより、永久磁石が動作して相対する発電コイルに誘導電流を発生させ、その電力でランプを発光させ使用者の前方と後方に向けて光を照射する。
【発明の効果】
【０００６】
本発明によれば、ウォーキング中の腕を振る動作を利用して発電し、前後に向けてランプを発光照射することにより、ウォーキング中の者の存在を自動車などに認識させ事故の防止に効果を発揮する。
ランプを発光させるために電池を必要としないので、電池交換の費用は発生しない。
ダンベル内に備えられた永久磁石の動きと、永久磁石がリミッターに当たる衝撃が腕振り動作に合わせて手に伝わることで、心地良いリズムを作りだしウォーキングの快適なペースを保持すると共にリズムが快感として感じられるので運動の継続に貢献できることも運動効果の促進となる。
本来ウォーキング中に腕を強く振ることは運動効果の上からも好ましいことであり、腕をよく振れば振るほど、本ダンベルの発電量も多くなり、ますます明るく点灯するので事故防止にも有効であることに加えて使用者の運動効果もより高まる。
永久磁石を使用しているが、不要な磁力線が外部に漏れないようシールドを施して、人体や携行品に悪影響を及ぼす事を防止している。
【図面の簡単な説明】
【０００７】
【図１】全体構造説明図
【図２】全体構造断面図
【図３】別の形状の全体構造断面図
【発明を実施するための形態】
【０００８】
以下、本発明の実施の形態を図示例とともに説明するが、本発明は下記例に限定されるものではない。
図１は本発明のランプ付きウォーキングダンベルの一例で全体構造図を示す。ダンベル全体の形状と重量は、個人ごとに最適な条件が異なることから、複数種類の重量と形状が用意される。
全体の形状は握持部と指外周部とランプ部より構成され、握持部の内部には発電機構が内蔵されている。全体形状に付いて、軽量な全体重量が求められる時は、図３に示す如く握持部のみで構成し指外周部を省略した形状を用意する。
【０００９】
図２の全体構造断面図を用いてウォーキングダンベルの構造を説明する。
磁石スライドパイプ（１）の中にパイプの中を自由に移動できる単一又は複数の永久磁石（２）を有し、磁石スライドパイプ（１）の両端にはリミッター（４）を備え永久磁石の移動範囲を規制している。このリミッターは弾性性能を有し永久磁石の衝突の衝撃を緩衝すると共に握持部全体に一定の振動を伝える。
【００１０】
握持部に、音を発生するスピーカ機能とカウンターを備え、腕を振るごとにタイミング良く音を発することと、一定の腕振り動作の回数ごとに音を発して知らせるか、又は音を変化させて知らせる機能を備える。
【００１１】
発電コイル（３）は磁石スライドパイプ（１）の外周に位置し、永久磁石の移動範囲の途中に、単一又は複数の発電コイル（３）が巻かれていて、この発電コイル（３）の中を永久磁石が通過することにより発電コイル（３）に誘導電流が発生する。
発生した電力はランプ接続線（６）を通して接続されているランプ（５）を点灯させると共に、蓄電池への充電及び音の発生にも使用される。
本説明では永久磁石を動作させる例で説明したが、発電コイル（３）と永久磁石の相対運動により発電するものであり、永久磁石に替えて発電コイル（３）を動作させても同じ機能を発揮する。
【００１２】
永久磁石又は発電動作時に発生する磁気で使用者又は使用者の携行物に悪影響を及ぼさないように磁気シールド材（７）を磁石スライドパイプ（１）を取り囲む位置に設けて不必要な磁力の漏洩を防止する。
【００１３】
ダンベルに衝撃的力が加わり必要以上の発電量が発生した場合は保護回路により電気的破壊から保護する。
【００１４】
手を振ってダンベルを前後に動かせたときの発電タイミングとダンベルの向きにより、ランプ照射の方向が大きく影響される。ダンベルに取り付けられたランプの向きは、発電タイミング時のダンベルの向きを勘案して水平方向に照射するように取り付けられている。
又、水平方向に照射する時間を多く取れるようにすることと光量を増加させるために、複数のランプを使用して対応することも効果的である。
【００１５】
使用時の発汗や降雨により、ウオーキングダンベルが濡れることによる機能の低下を防止するため、ウオーキングダンベルは防水性能を備える。
【符号の説明】
【００１６】
１  磁石スライドパイプ
２  永久磁石
３  発電コイル
４  リミッター
５  ランプ
６  ランプ接続線
７  磁気シールド材
【図１】
2013145690.tif 000003
【図２】
2013145690.tif 000004
【図３】
2013145690.tif 000005